(57)【要約】【課題】マルチプロジェクションシステム構築時の手間を軽減することができるプロジェクタ検索装置およびマルチプロジェクション構築用システムを提供する。【解決手段】制御端末３０などのプロジェクタ検索装置は、複数のプロジェクタからスペック情報を取得する通信部３０３などのスペック情報取得部と、スペック情報を取得した複数プロジェクタのうちのひとつを、ユーザーに選択させるプロジェクタ選択部（本実施形態では、表示部３０１と入力部３０２とで構成）と、前記選択部で利用者が選択したプロジェクタと同スペックのプロジェクタを検索するスペック判断部３０４などの検索部と、前記検索部で検索した結果を表示する表示部３０１とを備える。【選択図】図４
2018152660.tif 000002
【特許請求の範囲】
【請求項１】
複数のプロジェクタからスペック情報を取得するスペック情報取得部と、
スペック情報を取得した複数プロジェクタのうちのひとつを利用者に選択させるプロジェクタ選択部と、
前記プロジェクタ選択部で利用者が選択したプロジェクタと同スペックのプロジェクタを検索する検索部と、
前記検索部で検索した結果を表示する表示部とを備えたプロジェクタ検索装置。
【請求項２】
請求項１に記載のプロジェクタ検索装置において、
同スペックのプロジェクタを、グループにして保持するグループ保持部と、
前記利用者にマルチプロジェクションシステムで使用するプロジェクタの台数を入力させる入力部と、
前記プロジェクタ選択部は、前記利用者が入力した台数未満のグループのプロジェクタを、前記利用者が選択できないようにしたことを特徴とするプロジェクタ検索装置。
【請求項３】
請求項１または２に記載のプロジェクタ検索装置において、
前記スペック情報として、焦点距離を用いることを特徴とするプロジェクタ検索装置。
【請求項４】
請求項１乃至３いずれか一項に記載のプロジェクタ検索装置において、
前記スペック情報として、解像度を用いることを特徴とするプロジェクタ検索装置。
【請求項５】
請求項１乃至４いずれか一項に記載のプロジェクタ検索装置において、
前記スペック情報として、前記プロジェクタのモデル名を用いることを特徴とするプロジェクタ検索装置。
【請求項６】
請求項１乃至５いずれか一項に記載のプロジェクタ検索装置において、
前記スペック情報として、前記プロジェクタが備える光源の総点灯時間を用いることを特徴とするプロジェクタ検索装置。
【請求項７】
請求項１乃至６いずれか一項に記載のプロジェクタ検索装置において、
前記スペック情報として、前記プロジェクタの色彩設定情報を用いることを特徴とするプロジェクタ検索装置。
【請求項８】
スペック情報を保持するスペック情報保持部と、外部装置と通信を行う通信部とを備えた複数のプロジェクタと、
複数のプロジェクタと通信可能に設けられた請求項１乃至７いずれか一項に記載のプロジェクタ検索装置とを備えたことを特徴とするマルチプロジェクション構築用システム。
【発明の詳細な説明】
【技術分野】
【０００１】
本発明は、プロジェクタ検索装置および同スペックの複数のプロジェクタで構成されるマルチプロジェクションシステムを構築するのに用いられるマルチプロジェクション構築用システムに関するものである。
【背景技術】
【０００２】
複数のプロジェクタを使用して、一つのスクリーン等の投写面に静止画や動画等の映像コンテンツを投写するマルチプロジェクションシステムという技術が知られている。
【０００３】
特許文献１には、上記マルチプロジェクションシステムを構成する各プロジェクタとして、投写画像サイズ等の条件を揃えるために、同機種のプロジェクタを用いることが記載されている。
【発明の概要】
【発明が解決しようとする課題】
【０００４】
しかしながら、互いに機種が異なる複数のプロジェクタを所有している場合、所有するプロジェクタ一台、一台について、スペック情報としての機種名を調べ、同機種のプロジェクタを選び出す必要があり、マルチプロジェクションシステムの構築に手間がかかるという課題があった。
【課題を解決するための手段】
【０００５】
上記課題を解決するために、本発明は、複数のプロジェクタからスペック情報を取得するスペック情報取得部と、スペック情報を取得した複数プロジェクタのうちのひとつを利用者に選択させるプロジェクタ選択部と、前記選択部で利用者が選択したプロジェクタと同スペックのプロジェクタを検索する検索部と、前記検索部で検索した結果を表示する表示部とを備えたことを特徴とするものである。
【発明の効果】
【０００６】
本発明によれば、マルチプロジェクションシステム構築時の手間を軽減することができる。
【図面の簡単な説明】
【０００７】
【図１】マルチプロジェクションシステムの全体構成の一例を示す説明図。
【図２】マルチプロジェクションにおけるキャリブレーションについて説明する図。
【図３】マルチプロジェクタ構築用システムの一例を示す図。
【図４】（ａ）は、制御端末の機能ブロック図であり、（ｂ）は、制御端末の実施例を示すブロック図。
【図５】（ａ）は、プロジェクタの機能ブロック図であり、（ｂ）は、プロジェクタの実施例を示すブロック図。
【図６】本実施形態のマルチプロジェクタ構築用システムのシーケンス図。
【図７】表示部に表示されるプロジェクタ選択画面の一例について示す図。
【図８】制御端末がプロジェクタに送信するスペック取得要求情報の一例を示す図。
【図９】制御端末に送信するスペック情報の一例を示す図。
【図１０】スペック判断部が、利用者が選択したプロジェクタと同スペックのプロジェクタを検索するフロー図。
【図１１】利用者が選択したプロジェクタと同スペックのプロジェクタをリストアップした対象リストの一例を示す図。
【図１２】表示部に表示する検索結果の一例について説明する図。
【図１３】本実施形態におけるマルチプロジェクションシステム構築の流れを示すフロー図。
【図１４】制御端末から各プロジェクタに、解像度の取得要求を行う場合のスペック取得要求情報の一例を示す図。
【図１５】解像度の取得要求に基づいて、プロジェクタが制御端末に送信する解像度情報の一例を示す図。
【図１６】制御端末から各プロジェクタに、モデル名の取得要求を行う場合のスペック取得要求情報の一例を示す図。
【図１７】モデル名の取得要求に基づいて、プロジェクタが制御端末に送信するモデル情報の一例を示す図。
【図１８】制御端末から各プロジェクタに、ランプ情報の取得要求を行う場合のスペック取得要求情報の一例を示す図。
【図１９】ランプ情報の取得要求に基づいて、プロジェクタが制御端末に送信するランプ情報の一例を示す図。
【図２０】スペック情報がランプの総点灯時間の場合の、スペック判断部の検索フロー図。
【図２１】制御端末から各プロジェクタに、色彩設定情報の取得要求を行う場合のスペック取得要求情報の一例を示す図。
【図２２】色彩設定情報の取得要求に基づいて、プロジェクタが制御端末に送信する色彩設定情報の一例を示す図。
【図２３】（ａ）は、実施形態２にかかる制御端末の機能ブロック図であり、（ｂ）は、制御端末の実施例を示すブロック図である。
【図２４】実施形態２にかかるマルチプロジェクタ構築用システムのシーケンス図。
【図２５】実施形態２のマルチプロジェクタ構築用システムによるグループ分けの一例を示す図。
【図２６】実施形態２にかかるマルチプロジェクタ構築用システムで検索した検索結果の表示の一例を示す図。
【発明を実施するための形態】
【０００８】
以下、図面を参照して本発明の実施形態を説明する。
図１は、マルチプロジェクションシステム１の全体構成の一例を示す説明図である。マルチプロジェクションシステム１は、同スペックの複数台のプロジェクタ１００を備える。
【０００９】
プロジェクタ１００の投写方式（例えばＤＬＰ（Digital Light Processing）やＬＣＤ（Liquid Crystal Display）方式等）や光源の種類（例えば水銀ランプやレーザー光源等）は問わない。また、図１では、組み合わせるプロジェクタ１００の台数が３台であるが、プロジェクタ１００の台数は２台又は４台以上であってもよい。また、投写画像は、静止画でもよいし、動画（「映像」ともいう。）であってもよい。
【００１０】
本実施形態のマルチプロジェクションシステム１は、縦方向や横方向に複数のプロジェクタ１００を並べて配置し、複数のプロジェクタ１００から投写される複数の画像を、投写面としてのスクリーン９００に連結して表示する。これにより、高輝度、高解像度の大画面の画像をスクリーン９００上に投写することができる。本実施形態では、隣り合うプロジェクタと投写領域の一部を重なり合うように各プロジェクタが配置されているが、隣り合うプロジェクタと投写領域が重なり合わないように各プロジェクタを配置してもよい。
【００１１】
各プロジェクタ１００は、ＬＡＮなどのネットワーク通信網２００を介して制御端末３０と通信可能な状態で接続されている。通信方式は、ＬＡＮ接続の他、シリアルケーブルなどを挙げることができる。また、制御端末３０と各プロジェクタとの接続は、ケーブルなどによる有線接続でも、無線ＬＡＮ、Ｂｌｕｅｔｏｏｔｈ（登録商標）、ＮＦＣ（Near Field Communication）などの無線接続でもよい。
【００１２】
制御端末３０は、各プロジェクタを制御するための端末であり、ＰＣ（Ｐｅｒｓｏｎａｌ Ｃｏｍｐｕｔｅｒ）などによりによって実現される。各プロジェクタは、制御端末３０の制御のもと、３台でひとつの投写画像をスクリーン９００に投写する。また、制御端末３０は、各プロジェクタから投写される投写画像の明るさ、輝度、色合い、コントラスト、色温度、ガンマ、表示サイズ、アスペクト比などを調整する。また、制御端末３０は、各プロジェクタ１００にそれぞれ投写させるべき投写画像に応じた投写画像データを作成して各プロジェクタ１００に送信すると共に、投写画像の投写タイミングを指示する。
【００１３】
図２は、投写面と各プロジェクタとの位置関係（距離・角度）を求めたり、各プロジェクタから投写される投写画像の明るさ、輝度、色合い、コントラスト、色温度、ガンマ、投写サイズ、アスペクト比などを調整したりするキャリブレーションについて説明する図である。
図２に示すように制御端末３０は、各プロジェクタに図２に示すキャリブレーション画像を送信し、各プロジェクタは、キャリブレーション画像を投写する。制御端末３０には、撮像手段たるカメラ４００が接続されており、このカメラ４００により、スクリーン９００に投写されたキャリブレーション画像を撮像する。制御端末３０は、撮像された画像データに基づいて、元画像や動画を、各プロジェクタが投写する画像や動画に変換するのに用いる変換パラメータとして、投写面と各プロジェクタとの位置関係（距離・角度）を求める。また、画像データに基づいて、各プロジェクタから投写される投写画像の明るさ、輝度、色合い、コントラスト、色温度、ガンマ、投写サイズ、アスペクト比などを調整する。
【００１４】
マルチプロジェクションを行うには、各プロジェクタの画質や投写サイズ等を合わせる必要があるが、用いるプロジェクタのスペックが互いに異なると上述したキャリブレーションを行っても画質や投写サイズを揃えることができない場合がある。従って、マルチプロジェクションを行うには、同スペックのプロジェクタを複数用意する必要がある。しかしながら、互いにスペックの異なる複数のプロジェクタを所有している場合、プロジェクタ１台、１台について、スペックを調べ、同じスペックのプロジェクタを選び出す必要があり、マルチプロジェクションシステムの構築に手間がかかる。そこで、本実施形態においては、制御端末３０で、同スペックのプロジェクタを検索できるようにした。以下、図面を用いて具体的に説明する。
【００１５】
図３は、マルチプロジェクション構築用システムの一例を示す図である。
図３に示すように、部屋Ａ〜Ｈにプロジェクタ１００Ａ〜１００Ｈが設置されており、各プロジェクタ１００Ａ〜１００Ｈおよび制御端末３０は、ＬＡＮなどのネットワーク通信網２００に接続されている。図３においては、部屋Ａ，Ｄ，Ｆに設置されたプロジェクタ１００Ａ，１００Ｄ，１００Ｆは、超短焦点タイプのプロジェクタであり、部屋Ｃ，Ｇ，Ｈに設置されているプロジェクタ１００Ｃ，１００Ｇ，１００Ｈは、短焦点タイプのプロジェクタであり、部屋Ｂ，Ｅに設置されているプロジェクタ１００Ｂ、１００Ｅは、通常焦点タイプのプロジェクタである。
【００１６】
図４（ａ）は、同スペックのプロジェクタを検索するプロジェクタ検索装置としての制御端末３０の機能ブロック図であり、図４（ｂ）は、制御端末３０の実施例を示すブロック図である。
図４（ａ）に示すように、制御端末３０は、複数のプロジェクタからスペック情報を取得するためのスペック情報取得部としての通信部３０３、スペック情報を取得した複数プロジェクタのうちのひとつをユーザーに選択させるプロジェクタ選択部としての入力部３０２、ユーザーが選択したプロジェクタと同スペックのプロジェクタ否かを判断し、同スペックのプロジェクタを検索する検索部たるスペック判断部３０４、および、同スペックのプロジェクタを検索した結果を表示してユーザーに報知する報知部としての表示部３０１を備える。
【００１７】
本実施形態では、図４（ｂ）に示すように、表示部３０１の機能は、ディスプレイ３４により実現しており、通信部３０３の機能は、ＬＡＮ３６により実現している。また、入力部３０２の機能は、マウス３５やキーボード３７により実現しており、スペック判断部３０４の機能は、メモリ３２に記憶されたプログラムと、そのプログラムを実行するＣＰＵ３１とにより実現している。また、図４（ｂ）に示すように、制御端末３０には、記憶装置たるＨＤＤ３３を備えている。ＨＤＤ３３は、ＩＰアドレス、識別コードなどのプロジェクタを識別する識別情報と、この識別情報に対応するプロジェクタのスペック情報とを関連付けたリストなどを記憶する。メモリ３２には、プロジェクタの検索を行うためのプログラム以外に、上述したキャリブレーションを行うためのプログラムや、マルチプロジェクションを行うためのプログラムなどが記憶されており、これらプログラムは、ＣＰＵ３１により実行される。
【００１８】
図５（ａ）は、マルチプロジェクタ構築用システムを実行するためのプロジェクタ１００の機能ブロック図であり、図５（ｂ）は、プロジェクタ１００の実施例を示すブロック図である。
図５（ａ）に示すように、プロジェクタ１００は、自身のスペック情報を保持するスペック保持部１０２と、スペック保持部１０２が保持するスペック情報を、制御端末３０に送信する通信部１０１とを備える。スペック情報としては、焦点距離、解像度、プロジェクタのモデル名、プロジェクタが備える光源たるランプ１４の総点灯時間などが挙げられる。
【００１９】
本実施形態のプロジェクタにおいては、図５（ｂ）に示すように、上記通信部１０１の機能はＬＡＮ１６により実現しており、スペック保持部１０２の機能は、記憶装置としてのＮＡＮＤ型フラッシュメモリ１３により実現している。また、プロジェクタ１００は、投写画像の投写を行うためのプログラムなどを記憶したメモリ１２、メモリ１２に記憶されたプログラムを実行するＣＰＵ１１、光源たるランプ１４、画像出力装置などの外部装置から投写画像データが入力されるＶＧＡ入力端子１５などを備えている。
【００２０】
図６は、本実施形態のマルチプロジェクタ構築用システムのシーケンス図である。
以下の説明では、図３に示した部屋Ａに設置されているプロジェクタ１００Ａと同スペックのプロジェクタを用いて、マルチプロジェクションを構築する場合について説明する。また、プロジェクタのスペックとして、焦点距離タイプを用いている。
まず、利用者は、制御端末３０を操作して、表示部３０１にネットワーク通信網２００に接続されているプロジェクタの識別情報が一覧表示されたプロジェクタ選択画面を表示する（図６のＳ１０１）。
【００２１】
図７は、表示部３０１に表示されるプロジェクタ選択画面の一例について示す図である。
図７に示すように、プロジェクタ選択画面には、プロジェクタの識別情報として、識別コード、ＩＰアドレス、機器名が表示される。機器名は、利用者がプロジェクタを特定しやすいように任意に名づけることができる。また、各プロジェクタの識別情報の一覧には、チェックボックスが表示される。また、プロジェクタの識別情報として、モデル名や型番などを表示してもよい。
【００２２】
制御端末３０は、ネットワーク通信網２００に接続されているプロジェクタから識別コード、ＩＰアドレス、機器名等を取得し、識別コードとＩＰアドレスと機器名とを関連づけた一覧情報を作成し、ＨＤＤ３３に保存する。そして、利用者が制御端末３０を操作して、マルチプロジェクションに用いるプロジェクタの一覧表示要求を指示したら、制御端末３０は、ディスプレイ３４に図７に示すプロジェクタ選択画像を表示する。
【００２３】
次に、図６のＳ１０２に示すように、利用者が、マウス３５やキーボード３７などの入力部３０２を操作して、ディスプレイ３４に表示されたプロジェクタのうちのひとつを選択する（本実施形態では、プロジェクタ１００Ａを選択する）。具体的には、図７に示すように、選択するプロジェクタ１００Ａに対応するチェックボックスに、チェックを入れることで、プロジェクタ１００Ａが選択される。
【００２４】
プロジェクタ１００Ａが選択されると、スペック判断部３０４は、プロジェクタ１００Ａを基準のプロジェクタとして登録する。次に、プロジェクタ１００Ａ〜１００Ｈからスペック情報（焦点距離タイプ）を取得して登録する（図６のＳ１０３）。
【００２５】
まず、制御端末３０は、プロジェクタ１００Ａに対して、スペック取得要求情報を送信する。
図８は、制御端末３０がプロジェクタに送信するスペック取得要求情報の一例を示す図である。図８は、プロジェクタがＷｅｂＡＰＩを提供しており、制御端末３０がＷｅｂＡＰＩ経由でプロジェクタから取得する場合におけるスペック取得要求情報の一例を示している。また、図８は、ＷｅｂＡＰＩ（ＨＴＴＰ）の通信に必要なヘッダなどの情報は省略し、スペック取得要求に必要な部分のみをピックアップして表示している。図８は、取得するスペック情報として、焦点距離タイプを取得する場合を示している。
【００２６】
プロジェクタ１００Ａは、通信部１０１が、図８に示すようなスペック取得要求情報を受信したら、スペック取得要求情報に基づいて、スペック保持部１０２に保持されているスペック情報（焦点距離タイプ、投写距離）を取得し制御端末３０に送信する。
【００２７】
図９は、制御端末３０に送信するスペック情報の一例を示す図である。
図９は、ＷｅｂＡＰＩ（ＨＴＴＰ）の通信に必要なヘッダなどの情報は、省略している。本実施形態では、図９に示すように、スペック情報として、焦点距離タイプと、投写距離情報とを制御端末３０に送信する。図９の例では、焦点距離タイプ：超短焦点タイプ、投写距離：１７０ｍｍである。
【００２８】
制御端末３０のスペック判断部３０４は、プロジェクタ１００Ａからスペック情報（焦点距離タイプと、投写距離情報）を通信部３０３が受信したら、スペック情報（焦点距離タイプと、投写距離情報）をプロジェクタ１００Ａの識別情報（機器名、ＩＰアドレス、識別コード）に対応させて登録する。
【００２９】
このように、プロジェクタ１００Ａのスペック情報（焦点距離タイプ、焦点距離）を取得したら、プロジェクタ１００Ｂに対して、同様にしてスペック情報を取得し登録する。このような処理を繰り返し行って、ネットワーク通信網２００に接続されている全てのプロジェクタ１００Ａ〜１００Ｈについて、スペック情報（焦点距離タイプ、焦点距離）を登録する。ネットワーク通信網２００に接続されている全てのプロジェクタ１００Ａ〜１００Ｈについてスペック情報を登録したら、スペック判断部３０４は、プロジェクタ１００Ａと同じスペック（焦点距離タイプ）のプロジェクタの検索し、検索した結果を表示部３０１に表示する（図６のＳ１０４）。
【００３０】
図１０は、スペック判断部３０４が、利用者が選択したプロジェクタ１００Ａと同スペックのプロジェクタを検索するフロー図である。
図１０に示すように、スペック判断部３０４は、まず、利用者が指定したプロジェクタ１００Ａ以外の複数のプロジェクタ（プロジェクタ１００Ｂ〜１００Ｈ）のいずれかひとつを選択（以下、プロジェクタＸという）する。選択したプロジェクタＸのスペックと、利用者がマルチプロジェクションとして用いるために指定したプロジェクタ１００Ａのスペックとを比較する（Ｓ２）。比較した結果、プロジェクタＸのスペックと、プロジェクタ１００Ａのスペックとが同スペックの場合（Ｓ２ＹＥＳ）は、プロジェクタＸをマルチプロジェクションに利用可能なプロジェクタとして図１１に示すような対象リストに追加する（Ｓ３）。
【００３１】
一方、比較した結果、プロジェクタＸのスペックと、プロジェクタ１００Ａのスペックとが異なる（Ｓ２ＮＯ）場合は、対象リストに追加しない。そして、すべてのプロジェクタについて、プロジェクタ１００Ａとの比較が終了したら（Ｓ１のＹＥＳ）、対象リストに基づいて表示部３０１に検索結果を表示する（Ｓ４）。
【００３２】
図１２は、表示部３０１に表示する検索結果の一例について説明する図である。
図１２に示す例では、対象リストにないプロジェクタ（プロジェクタ１００Ａと異なるスペックのプロジェクタ）については、グレーアウトとするともに、チェックボックスにチェックをできなくし選択不可とする。一方、対象リストにあるプロジェクタ（プロジェクタ１００Ａと同スペックのプロジェクタ１００Ｄ，１００Ｆ）は、グレーアウトせずに表示する。これにより、プロジェクタ１００Ａと同スペックのプロジェクタと、異なるスペックのプロジェクタとを区別して表示することができる。よって、利用者は、表示部３０１に表示された内容に基づき、複数のプロジェクタのうち、プロジェクタ１００Ａとスペックが同一のプロジェクタ１００Ｄ，１００Ｆを選び出すことができる。
なお、利用者が、プロジェクタ１００Ａに対応するチェックボックスのチェックを外すと、先の図７に示した表示に戻る。
【００３３】
また、利用者が選択したプロジェクタ１００Ａと、対象リストのプロジェクタ１００Ｄ，１００Ｆのみ検索結果として表示し、プロジェクタ１００Ａとは異なるスペックのプロジェクタを表示しないようにしてもよい。また、制御端末３０は、対象リストのプロジェクタ１００Ｄ，１００Ｆを制御して、例えば、プロジェクタ１００Ｄ，１００Ｆの所定の箇所を点灯させたり、識別コードをスクリーン９００に投写したりするなどして、プロジェクタ１００Ａと同一のスペックのプロジェクタであることを利用者に報知するようにしてもよい。これにより、利用者は、プロジェクタ１００Ｄ，１００Ｆを容易に見つけ出すことができる。特に、プロジェクタ１００Ｄ，１００Ｆの所定の箇所を点灯させたり、識別コードをスクリーン９００に投写したりすることにより、同一の部屋に複数のプロジェクタがある場合に、容易にプロジェクタ１００Ａと同一のスペックのプロジェクタを見つけ出すことができる。
【００３４】
本実施形態においては、制御端末３０にマルチプロジェクションに利用するプロジェクタ１００Ａと同スペックのプロジェクタを表示することができ、容易にプロジェクタ１００Ａと同スペックのプロジェクタのプロジェクタを選び出すことができる。このように、本実施形態においては、利用者が各部屋Ｂ〜Ｈに訪れて、プロジェクタ一台、一台について、プロジェクタ１００Ａと同じスペックであるか否かを調べる必要がなくなり、マルチプロジェクションの構築を容易に行うことができる。
【００３５】
また、本実施形態においては、プロジェクタのスペック情報として、焦点距離タイプを用い、焦点距離タイプが同一のプロジェクタを検索・表示するようにしている。これにより、マルチプロジェクションシステムの構築に焦点距離タイプが同一のプロジェクタが用いられる。マルチプロジェクションシステムの構築に、焦点距離タイプが同一のプロジェクタを用いることで、プロジェクタの配置を容易に行うことができ、マルチプロジェクションシステムの構築を容易に行うことができる。
【００３６】
図１３は、本実施形態におけるマルチプロジェクションシステム構築の流れを示すフロー図である。
まず、利用者は、制御端末３０で、マルチプロジェクションに利用するスペックが同じ複数のプロジェクタを検索して選び出す（Ｓ１１）。利用者は、選び出したプロジェクタを、マルチプロジェクションを行うスクリーン９００などの投写面から所定の距離離れた位置に所定の間隔を開けて配置する。次に、利用者は、制御端末３０を操作して、先の図２に示したキャリブレーション用画像の投写を要求する（Ｓ１２）。マルチプロジェクションに用いられる各プロジェクタは、キャリブレーション画像を、スクリーン９００に投写する（Ｓ１３）。利用者は、スクリーン９００に投写されたキャリブレーション画像の両端が、隣接するキャリブレーション画像に重なるように、プロジェクタの位置を調整する（Ｓ１４）。プロジェクタの位置を調整したら、利用者は、制御端末３０を操作して、制御端末３０に接続されたカメラ４００によりスクリーン９００を撮影する（Ｓ１５）。制御端末３０は、撮影された画像に基づいて、所定のキャリブレーション処理を行う（Ｓ１６）。これにより、マルチプロジェクションシステムが構築され、スクリーン９００にマルチプロジェクション画像を投写することができる。
【００３７】
また、スペック情報として解像度を用いてもよい。
図１４は、制御端末３０から各プロジェクタに、解像度の取得要求を行う場合のスペック取得要求情報の一例を示しており、図１５は、解像度の取得要求に基づいて、プロジェクタが制御端末３０に送信する解像度情報の一例を示す図である。なお、図１４、図１５においても、ＷｅｂＡＰＩ（ＨＴＴＰ）の通信に必要なヘッダなどの情報は省略している。
【００３８】
図１４に示すように、ＷｅｂＡＰＩ（ＨＴＴＰ）の通信で、スペック情報として解像度取得要求を、制御端末３０がプロジェクタに送信する。プロジェクタは、解像度取得要求を受信したら、図１５に示すようにスペック情報として解像度情報（図１５では、解像度：１９２０×１０８０）を制御端末３０に送信する。制御端末３０は、ネットワーク通信網２００に接続されているすべてのプロジェクタから、解像度情報を取得し、利用者が選択したプロジェクタと同じ解像度のプロジェクタを検索して表示部３０１に表示する。これにより、表示部３０１により表示された内容に基づいて、解像度が同一のプロジェクタを容易に選び出すことができる。これにより、容易に解像度が同一の複数のプロジェクタでマルチプロジェクションシステムの構築を行うことができる。解像度が同一の複数のプロジェクタでマルチプロジェクションシステムを構築することで、各プロジェクタから投写される投写画像の画質やサイズを合わせることができ、良好なマルチプロジェクション画像を投写することができる。
【００３９】
また、スペック情報としてプロジェクタのモデル名を用いてもよい。
図１６は、制御端末３０から各プロジェクタに、モデル名の取得要求を行う場合のスペック取得要求情報の一例を示しており、図１７は、モデル名の取得要求に基づいて、プロジェクタが制御端末３０に送信するモデル情報の一例を示す図である。なお、図１６、図１７においても、ＷｅｂＡＰＩ（ＨＴＴＰ）の通信に必要なヘッダなどの情報は省略している。
【００４０】
図１６に示すように、ＷｅｂＡＰＩ（ＨＴＴＰ）の通信で、スペック情報としてモデル名取得要求を制御端末３０がプロジェクタに送信する。プロジェクタは、モデル名取得要求を受信したら、図１７に示すようにスペック情報としてモデル名情報（図１７では「ＷＸ４２２０Ｎ」）を制御端末３０に送信する。制御端末３０は、ネットワーク通信網２００に接続されているすべてのプロジェクタからモデル名情報を取得し、利用者が選択したプロジェクタと同じモデル名のプロジェクタを検索して表示部３０１に表示する。これにより、表示部３０１により表示された内容に基づいて、同一モデルのプロジェクタを容易に選び出すことができる。その結果、表示部３０１により表示された内容に基づいて、同一モデルのプロジェクタを容易に選び出すことができる。これにより、容易に複数の同一モデルのプロジェクタでマルチプロジェクションシステムの構築を行うことができる。同一モデルのプロジェクタでマルチプロジェクションシステムの構築することで、ＷｅｂＡＰＩ（ＨＴＴＰ）の通信で取得可能なスッペク情報以外のスペックも同一にすることができ、良好なマルチプロジェクション画像を投写することができる。
【００４１】
また、スペック情報として光源たるランプ１４の総点灯時間やランプ１４の明るさなどのランプ情報を用いてもよい。
図１８は、制御端末３０から各プロジェクタに、ランプ１４の総点灯時間やランプ１４の明るさなどのランプ情報の取得要求を行う場合のスペック取得要求情報の一例を示す図である。図１９は、ランプ情報の取得要求に基づいて、プロジェクタが制御端末３０に送信するランプ情報の一例を示す図である。なお、図１８、図１９においても、ＷｅｂＡＰＩ（ＨＴＴＰ）の通信に必要なヘッダなどの情報は省略している。
【００４２】
図１８に示すように、ＷｅｂＡＰＩ（ＨＴＴＰ）の通信で、スペック情報としてランプ情報取得要求を、制御端末３０がプロジェクタに送信する。プロジェクタは、ランプ情報取得要求を受信したら、図１９に示すようにランプ情報としてランプ１４の総点灯時間とランプ１４の明るさ（図１９では、総点灯時間：２００［ｈ］、とランプ１４の明るさ：４０００［ｌｍ］）を制御端末３０に送信する。制御端末３０は、ネットワーク通信網２００に接続されているすべてのプロジェクタから、ランプ情報を取得する。
【００４３】
スペック情報として、ランプ１４の明るさを用いる場合、制御端末３０は、利用者が選択したプロジェクタと同じ明るさのランプ１４を有するプロジェクタを検索して表示部３０１に表示する。これにより、表示部３０１により表示された内容に基づいて、ランプ１４の明るさが同一のプロジェクタを容易に選び出すことができる。これにより、ランプ１４の明るさが同一のプロジェクタでマルチプロジェクションシステムの構築を行うことができる。ランプ１４の明るさが同一のプロジェクタでマルチプロジェクションシステムを構築することで、各プロジェクタから投写される投写画像の輝度などを容易に調整することができ、良好なマルチプロジェクション画像を投写することができる。
【００４４】
また、デジタルネイサージなど、長期間にわたりマルチプロジェクションを行う場合、ランプ１４の総点灯時間をスペック情報として用いるのが好ましい。
図２０は、スペック情報がランプ１４の総点灯時間の場合の、スペック判断部３０４の検索フロー図である。
スペック情報として、ランプ１４の総点灯時間を用いる場合は、図２０のＳ１２に示すように、利用者がマルチプロジェクタに利用するプロジェクタとして選択したプロジェクタのランプ１４の総点灯時間と、比較するプロジェクタＸのランプ１４の総点灯時間との差を算出する。差が１００［ｈ］以下の場合（Ｓ１２のＹＥＳ）は、同スペックのプロジェクタと判断し、選択対象リストに追加する（Ｓ１４）。これにより、表示部３０１には、利用者が選択したプロジェクタのランプ１４の総点灯時間に対して±１００時間以下のランプ総点灯時間のプロジェクタが表示される。よって、表示部３０１により表示された内容に基づいて、ランプ総点灯時間がほぼ同一のプロジェクタを容易に選び出すことができ、ランプ総点灯時間がほぼ同一のプロジェクタでマルチプロジェクションシステムを構築することができる。ランプ総点灯時間がほぼ同一のプロジェクタでマルチプロジェクションシステムを構築することで、各プロジェクタのランプ交換タイミングをほぼ同じタイミングにでき、同一のタイミングでランプ１４の交換を行うことができる。これにより、デジタルネイサージなど、長期間にわたりマルチプロジェクションを行う場合において、マルチプロジェクションシステムのメンテナンスコストの低減を図ることができる。
【００４５】
さらに、スペック情報として、色彩設定情報を用いてもよい。
図２１は、制御端末３０から各プロジェクタに、色彩設定情報の取得要求を行う場合のスペック取得要求情報の一例を示しており、図２２は、色彩設定情報の取得要求に基づいて、プロジェクタが制御端末３０に送信する色彩設定情報の一例を示す図である。なお、図２１、図２２においても、ＷｅｂＡＰＩ（ＨＴＴＰ）の通信に必要なヘッダなどの情報は省略している。
【００４６】
図２１に示すように、ＷｅｂＡＰＩ（ＨＴＴＰ）の通信で、スペック情報として色彩設定取得要求を制御端末３０がプロジェクタに送信する。プロジェクタは、色彩設定取得要求を受信したら、図２２に示すように色彩設定情報（図２１では、明度、コントラスト、シャープネス）を制御端末３０に送信する。制御端末３０は、ネットワーク通信網２００に接続されているすべてのプロジェクタから色彩設定情報を取得したら、利用者が選択したプロジェクタと同じ色彩設定のプロジェクタを検索して表示部３０１に表示する。これにより、表示部３０１により表示された内容に基づいて、色彩設定が同一のプロジェクタを容易に選び出すことができ、容易に色彩設定が同一の複数のプロジェクタでマルチプロジェクションシステムの構築を行うことができる。色彩設定が同一の複数のプロジェクタでマルチプロジェクションシステムの構築を行うことで、マルチプロジェクションシステム構築時に、各プロジェクションの色彩設定を調整する必要がほとんどない。よって、マルチプロジェクションシステム構築を容易に行うことができる。
【００４７】
また、焦点距離情報、解像度、モデル名、ランプ情報、色彩設定情報の２つ以上をスペック情報として取得してもよいし、これ以外の情報をスペック情報として取得してもよい。また、焦点距離情報、解像度、モデル名、ランプ情報、色彩設定情報の中から、利用者が適宜選択できるようにしてもよい。例えば、マルチプロジェクションシステムの構築に必要なプロジェクタの台数よりも多くの数の同一モデルのプロジェクタが所有している場合は、モデル名と、ランプ総点灯時間や色彩設定情報とで、プロジェクタを検索する。これにより、同一モデルで、より条件が近いプロジェクタを選び出すことができる。
【００４８】
また、上述したマルチプロジェクタ構築用システムでは、利用者が選択したプロジェクタと同スペックのプロジェクタが、マルチプロジェクション構築可能な台数以下であった場合は、別のプロジェクタを選択して再検索する必要が生じてしまう。そこで、マルチプロジェクションを構築可能な台数以上、同スペックのプロジェクタが存在するプロジェクタのみ、先の図７に示すプロジェクタ選択画面に表示するようにしてもよい。以下、この態様を、実施形態２として説明する。
【００４９】
図２３（ａ）は、実施形態２にかかるマルチプロジェクタ構築用システムを実行するための制御端末３０の機能ブロック図であり、図２３（ｂ）は、制御端末３０の実施例を示すブロック図である。
図２３（ａ）に示すように、実施形態２にかかるマルチプロジェクタ構築用システムを実行するため、制御端末３０は、同じスペックのプロジェクタをグループとして保持するスペック情報グループ保持部３０５を有している。このスペック情報グループ保持部３０５の機能は、図２３（ｂ）に示すように、ＨＤＤ３３により実現されている。
【００５０】
図２４は、実施形態２にかかるマルチプロジェクタ構築用システムのシーケンス図である。
制御端末３０は、マルチプロジェクションを構築するプロジェクタの台数を、利用者が入力するための画像を表示部３０１に表示する。利用者は、マウス３５やキーボード３７などの入力部３０２を操作して、マルチプロジェクションを構築するプロジェクタの台数を入力する。制御端末３０は、入力された台数を、スペック情報グループ保持部３０５に記憶する。
【００５１】
次に、スペック判断部３０４は、ネットワーク通信網２００に接続されているプロジェクタのうちのひとつ（図２４では、プロジェクタ１００Ａ）を、グループ１の基準プロジェクタとして登録する。そして、実施形態と同様にして、ネットワーク通信網２００に接続されているすべてのプロジェクタからスペック情報を取得し、グループ１の基準プロジェクタとして登録されたプロジェクタ１００Ａのスペック情報と比較を行う。そして、同一スペックのプロジェクタであれば、グループ１のプロジェクタとして登録する。次に、グループ１として登録された台数が、利用者が入力した入力台数以上か否かチェックする。入力台数以上の場合は、表示部３０１に表示するグループとして登録する。
【００５２】
次に、グループ１に登録されていないプロジェクタのひとつを、グループ２の基準プロジェクタとして登録する。次に、グループ２の基準プロジェクタのスペック情報と、グループ１に登録されていないプロジェクタのスペック情報とを比較し、同一スペックであれば、そのプロジェクタを、グループ２のプロジェクタとして登録する。次に、上述と同様に、入力台数以上の場合は、グループ２を表示部３０１に表示するグループとして登録する。このような動作を、登録するプロジェクタがなくなるまで実施する。
【００５３】
すべてのプロジェクタについて、グループ分けが終了したら、複数のプロジェクタのうち、入力台数以上のグループのプロジェクタのみを、先の図７に示したプロジェクタ選択画面として一覧表示する。そして、ユーザーが、表示されたプロジェクタのひとつにチェックを入れると、チェックを入れたプロジェクタとは、別のグループのプロジェクタについて、先の図１２と同様、グレーアウトにするともに、チェックボックスにチェックをできなくし、選択不可とする。
【００５４】
図２５は、実施形態２のマルチプロジェクタ構築用システムによるグループ分けの一例を示している。この図２５においては、入力台数が３台であり、スペック情報として焦点距離タイプを用いた例を示している。
図２５に示すように、グループ１は、超短焦点タイプのプロジェクタであり３台で構成され、グループ２は、通常焦点タイプのプロジェクタであり４台で構成、グループ３は、短焦点タイプのプロジェクタであり、１台で構成される結果が得られた。この結果を受けて、スペック判断部３０４は、先の図７に示すようなプロジェクタ選択画面に、グループ１のプロジェクタ１００Ａ，１００Ｃ，１００Ｈと、グループ２のプロジェクタ１００Ｂ，１００Ｅ，１００Ｆ，１００Ｇとを表示部３０１に表示する。一方、グループ３のプロジェクタ１００Ｄは、選択画面に表示しない。そして、利用者が、プロジェクタ１００Ａ、１００Ｃ、１００Ｈのいずれかにチェックを入れた場合は、プロジェクタ１００Ｂ，１００Ｅ，１００Ｆ，１００Ｇがグレーアウトする。一方、プロジェクタ１００Ｂ，１００Ｅ，１００Ｆ，１００Ｇのいずれかを利用者が選択した場合は、プロジェクタ１００Ａ、１００Ｃ、１００Ｈがグレーアウトする。
【００５５】
このように、実施形態２においては、同スペックのプロジェクタの台数がマルチプロジェクションを構築可能な台数未満のときは、そのスペックのプロジェクタは、プロジェクタ選択画面に一覧表示されない。よって、マルチプロジェクションの構築を行えないプロジェクタが選択されることがない。これにより、何度も、プロジェクタを選択する必要がなくなる。
【００５６】
また、例えば、利用者が、制御端末３０を操作し、焦点距離情報、解像度、モデル名、ランプ情報、色彩設定情報などの複数のスペック情報のひとつを選択すると、図２６に示すように、スペック情報と、台数と、プロジェクタの識別情報（識別コード、ＩＰアドレス、機器名）とが一覧表示された検索結果を表示するようにしてもよい。利用者は、この検索結果を確認することで、同スペックのプロジェクタがマルチプロジェクションを構築できる台数保有しているか否かを把握することができる。また、検索結果に表示されたプロジェクタの識別情報からマルチプロジェクションを構築するプロジェクタを選び出すことができる。
【００５７】
以上に説明したものは一例であり、以下の態様毎に特有の効果を奏する。
（態様１）
複数のプロジェクタからスペック情報を取得する通信部３０３などのスペック情報取得部と、スペック情報を取得した複数プロジェクタのうちのひとつを、ユーザーに選択させるプロジェクタ選択部（本実施形態では、表示部３０１と入力部３０２とで構成）と、前記選択部で利用者が選択したプロジェクタと同スペックのプロジェクタを検索するスペック判断部３０４などの検索部と、前記検索部で検索した結果を表示する表示部３０１とを備えた。
これによれば、表示部に表示された内容に基づいて、同スペックのプロジェクタを容易に選び出すことができ、マルチプロジェクションシステムの構築の手間を低減することができる。
【００５８】
（態様２）
態様１において、同スペックのプロジェクタを、グループにして保持するスペック情報グループ保持部３０５などのグループ保持部と、利用者にマルチプロジェクションシステムで使用するプロジェクタの台数を入力させる入力部３０２と、前記プロジェクタ選択部（入力部３０２と、表示部３０１とで構成）は、利用者が入力した台数未満のグループのプロジェクタを、利用者が選択できないようにした（本実施形態では、図７に示したプロジェクタ選択画面に、台数未満のグループのプロジェクタを表示しないようにすることで、利用者が選択できないようにした）。
これによれば、実施形態で説明したように、一度のプロジェクタの選択で、マルチプロジェクションを構築できる台数以上の同スペックのプロジェクタを表示することができ、マルチプロジェクションを構築するプロジェクタを選び出す手間を軽減することができる。
【００５９】
（態様３）
態様１または２において、前記スペック情報として、焦点距離を用いる。
これによれば、実施形態で説明したように、焦点距離が同一のプロジェクタによるマルチプロジェクションシステムを容易に構築することができる。
【００６０】
（態様４）
態様１乃至３いずれかにおいて、前記スペック情報として、解像度を用いる。
これによれば、実施形態で説明したように、解像度が同一のプロジェクタによるマルチプロジェクションシステムを容易に構築することができる。
【００６１】
（態様５）
態様１乃至４いずれかにおいて、前記スペック情報として、前記プロジェクタのモデル名を用いる。
これによれば、実施形態で説明したように、同一モデルのプロジェクタによるマルチプロジェクションシステムを容易に構築することができる。
【００６２】
（態様６）
態様１乃至５いずれかにおいて、前記スペック情報として、前記プロジェクタが備える光源の総点灯時間を用いる。
これによれば、実施形態で説明したように、光源の交換タイミングがほぼ同時期のプロジェクタによるマルチプロジェクションシステムを容易に構築することができる。
【００６３】
（態様７）
態様１乃至６いずれかにおいて、前記スペック情報として、前記プロジェクタの色彩設定情報を用いる。
これによれば、実施形態で説明したように、色彩設定が同一のプロジェクタによるマルチプロジェクションシステムを容易に構築することができる。
【００６４】
（態様８）
スペック情報を保持するスペック情報保持部と、外部装置と通信を行う通信部とを備えた複数のプロジェクタと、複数のプロジェクタと通信可能に設けられた態様１乃至７いずれか一項に記載のプロジェクタ検索装置とを備えたことを特徴とするマルチプロジェクション構築用システム。
これによれば、同スペックの複数のプロジェクタからなるプロジェクタを容易に構築することができる。
【符号の説明】
【００６５】
１        ：マルチプロジェクションシステム
１１      ：ＣＰＵ
１２      ：メモリ
１３      ：ＮＡＮＤ型フラッシュメモリ
１４      ：ランプ
１５      ：ＶＧＡ入力端子
３０      ：制御端末
３１      ：ＣＰＵ
３２      ：メモリ
３３      ：ＨＤＤ
３４      ：ディスプレイ
３５      ：マウス
３７      ：キーボード
１００    ：プロジェクタ
１０１    ：通信部
１０２    ：スペック保持部
２００    ：ネットワーク通信網
３０１    ：表示部
３０２    ：入力部
３０３    ：通信部
３０４    ：スペック判断部
３０５    ：スペック情報グループ保持部
４００    ：カメラ
９００    ：スクリーン
【先行技術文献】
【特許文献】
【００６６】
【特許文献１】特開２０１６−１９１８９７号公報
【図１】
2018152660.tif 000003
【図２】
2018152660.tif 000004
【図３】
2018152660.tif 000005
【図４】
2018152660.tif 000006
【図５】
2018152660.tif 000007
【図６】
2018152660.tif 000008
【図７】
2018152660.tif 000009
【図８】
2018152660.tif 000010
【図９】
2018152660.tif 000011
【図１０】
2018152660.tif 000012
【図１１】
2018152660.tif 000013
【図１２】
2018152660.tif 000014
【図１３】
2018152660.tif 000015
【図１４】
2018152660.tif 000016
【図１５】
2018152660.tif 000017
【図１６】
2018152660.tif 000018
【図１７】
2018152660.tif 000019
【図１８】
2018152660.tif 000020
【図１９】
2018152660.tif 000021
【図２０】
2018152660.tif 000022
【図２１】
2018152660.tif 000023
【図２２】
2018152660.tif 000024
【図２３】
2018152660.tif 000025
【図２４】
2018152660.tif 000026
【図２５】
2018152660.tif 000027
【図２６】
2018152660.tif 000028